(57)【特許請求の範囲】
【請求項１】
多孔質塗布体と、多孔質塗布体に併設される複数の櫛体とからなる櫛部によって毛髪を梳くと共に、取り付けられる容器内の塗布液を、該多孔質塗布体を介して毛髪に塗布するため髪用塗布具において、
前記複数の櫛体は異なる形状であり、前記複数の櫛体のうちの少なくともの一つの櫛体は、櫛歯の先端が多孔質塗布体側に曲がっていると共に、
複数の櫛体に挟まれて多孔質塗布体は、複数の柱状のものが列状に配置されたものを有しており、
櫛体における櫛歯の先端が多孔質塗布体側に曲がっているものの櫛歯先端部が、列状に配置された多孔質塗布体間に位置していることを特徴とする髪用塗布具。
【請求項２】
多孔質塗布体と、多孔質塗布体に併設される複数の櫛体とからなる櫛部によって毛髪を梳くと共に、取り付けられる容器内の塗布液を、該多孔質塗布体を介して毛髪に塗布するため髪用塗布具において、
前記複数の櫛体は異なる形状であり、
複数の櫛体に挟まれて配置された多孔質塗布体は、櫛体間で複数配置され、それら多孔質塗布体が互いに異なる形状であると共に、複数の櫛体に挟まれた多孔質塗布体は、複数の柱状の多孔質塗布体が列状に配置されたものと、板状に形成された多孔質塗布体とを備えていることを特徴とする髪用塗布具。
【発明の詳細な説明】
【技術分野】
【０００１】
本発明は、髪用塗布具及びその塗布具付き化粧料容器に関するものであり、容器本体に取り付けられ、髪（人間、その他のペット動物等を含む毛髪）を梳きながら容器に収容した塗布液（染毛剤、整髪剤、育毛剤等）を髪に塗布するための髪用塗布具に関するものである。
【背景技術】
【０００２】
従来、容器に収容した染毛剤などをその容器に取り付けた櫛部の櫛歯間に導入して、この櫛部で髪を梳くことによって髪を染める髪用塗布具が知られている。
【０００３】
特許文献１では、多孔質体と、多孔質体に櫛体を併設し、髪の毛を櫛体で梳かしながら塗布液を塗り浸ける構造の髪用塗布具が開示されている。
【０００４】
また、特許文献２では、塗布体で板状弾性体を覆い、塗布体の一方の側に櫛体を配設し、櫛体の前端折り曲げ部分を塗布体の前端部分に位置するようにした髪用塗布具が開示されている。
【０００５】
また、特許文献３では、略平板状の櫛歯体を複数備え、塗布体の両側に櫛歯体が位置するように櫛歯体の間に塗布体を配設したものが開示されている。
【先行技術文献】
【特許文献】
【０００６】
【特許文献１】特許第４７２６４３９号公報
【特許文献２】実用新案登録第２５１０８２１号公報
【特許文献３】特開２０１１−２００６４３号公報
【発明の概要】
【発明が解決しようとする課題】
【０００７】
しかしながら、前述の特許文献１〜３では、髪の形態によって塗り方の使い分けが困難である。
【０００８】
本発明は、斯かる実情に鑑み、髪の形態によって塗り方を簡便に使い分けできる髪用塗布具を提供するものである。
【課題を解決するための手段】
【０００９】
本発明は、多孔質塗布体と、多孔質塗布体に併設される複数の櫛体とからなる櫛部によって毛髪を梳くと共に、取り付けられる容器内の塗布液を、該多孔質塗布体を介して毛髪に塗布するため髪用塗布具において、
前記複数の櫛体は異なる形状であることを特徴とする髪用塗布具。
【００１０】
本発明において、前記複数の櫛体は、互いに櫛歯の間隔又は大きさが異なるものであることが好適である。
【００１１】
また、本発明において、前記複数の櫛体のうちの少なくともの一つの櫛体は、櫛歯の先端が多孔質塗布体側に曲がっていることが好適である。
【００１２】
本発明において、複数の櫛体に挟まれて配置された多孔質塗布体は、櫛体間で複数配置され、それら多孔質塗布体が互いに異なる形状であることが好適である。
【００１３】
また、本発明において、複数の櫛体に挟まれて多孔質塗布体は、複数の柱状のものが列状に配置されたものを有しており、櫛体における櫛歯の先端が多孔質塗布体側に曲がっているものの櫛歯先端部が、列状に配置された多孔質塗布体間に位置していることが好適である。
【００１４】
本発明において、複数の櫛体に挟まれた多孔質塗布体は、複数の柱状の多孔質塗布体が列状に配置されたものと、板状に形成された多孔質塗布体とを備えていることが好適である。
【００１５】
また、本発明においては、複数の櫛体は、容器から着脱自在であることが好適である。
【００１６】
なお、前記多孔質塗布体は、塗布液保持力が１２０〜２５０ｍｍの範囲にあり、上記多孔質塗布体と上記櫛体の櫛歯とは非接触でかつ５．０ｍｍ以内に近接されて互いが配設されていることが好適である。
【００１７】
（液保持力の測定方法）
図１０（ａ）及び（ｂ）に示すように、シリコーン等の柔軟性材のチューブ９１の一方を塗布液の収容容器９０に入れ、他方を測定対象物９２（多孔質塗布体）と連結させ、チューブ内を塗布液で満たす。このとき測定対象物内も塗布液で満たされ測定対象物の上端まで塗布液で充填される。
【００１８】
次いで、測定対象物の下端を徐々に上げる。このとき、測定対象物の上端でメニスカスが発生し、測定対象物の毛管力で塗布液の液柱を保持する。測定対象物の下端と液面との距離（Ｘ）が、測定対象物が支えている塗布液の液柱の高さである。この測定対象物が保持している塗布液の液柱を高くしていき、測定対象物が塗布液の液柱を支えきれなくなり測定対象物下端から空気が侵入する高さを求めることにより、「保持力」が測定できる。
【００１９】
なお、厳密には、保持力は、上記各高さＸ（ｍｍ）×塗布液の密度（ｐ）×重力加速度（ｇ）とするものであるが、密度（β）、重力加速度（ｇ）は定数であるため、本発明では、上記高さ（Ｘ）を保持力とした。
【発明の効果】
【００２０】
本発明の髪用塗布具によれば、複数の櫛体が異なる形状とすることによって、個々の櫛体を毛髪の性質（毛髪のコシや間隔）に対応して適切に使用でき、性質に応じた塗り方の使い分けができるという優れた効果を奏し得る。
【図面の簡単な説明】
【００２１】
【図１】本発明の実施形態に係る髪用塗布具の図で、（ａ）が外観図、（ｂ）が縦断した内部図である。
【図２】図１の髪用塗布具の図で、（ａ）が塗布部の先方からの視図、（ｂ）が塗布部の側方視図、（ｃ）が全体斜視図である。
【図３】第２実施形態に係る髪用塗布具の図で、（ａ）が塗布部の先方からの視図、（ｂ）が塗布部の側方視図、（ｃ）が全体斜視図である。
【図４】第３実施形態に係る髪用塗布具の図で、（ａ）が塗布部の先方からの視図、（ｂ）が塗布部の側方視図、（ｃ）が全体斜視図である。
【図５】第４実施形態に係る髪用塗布具の図で、（ａ）が塗布部の先方からの視図、（ｂ）が塗布部の側方視図、（ｃ）が全体斜視図である。
【図６】櫛体の着脱の説明図である。
【図７】第１実施形態、第３実施形態に係る髪用塗布具で用いた櫛体（櫛体）の図で、（ａ）が外側から斜視図、（ｂ）が先端からの視図、（ｃ）が外側面の図、（ｄ）の後方からの視図、（ｅ）が櫛歯の配列方向に見た図、（ｆ）が内側面の図である。
【図８】第２実施形態に係る髪用塗布具で用いた櫛体（櫛体）の図で、（ａ）が外側から斜視図、（ｂ）が先端からの視図、（ｃ）が外側面の図、（ｄ）の後方からの視図、（ｅ）が櫛歯の配列方向に見た図、（ｆ）が内側面の図である。
【図９】第４実施形態に係る髪用塗布具で用いた櫛体（櫛体）の図で、（ａ）が外側から斜視図、（ｂ）が先端からの視図、（ｃ）が外側面の図、（ｄ）の後方からの視図、（ｅ）が櫛歯の配列方向に見た図、（ｆ）が内側面の図である。
【図１０】（ａ）及び（ｂ）は液保持力の測定方法の説明図である。
【発明を実施するための形態】
【００２２】
以下、本発明の実施形態について添付図面を参照して説明する。
【００２３】
〔第１実施形態に係る髪用塗布具〕
図１〜図２は、本発明の第１実施形態に係る髪用塗布具の説明図、図６は櫛体の着脱状態、図７はその櫛体の構造の説明図である
【００２４】
図１〜図２に示すように、実施形態に係る髪用塗布具は、多孔質塗布体１０と、多孔質塗布体１０を内側にして挟んで併設される２つ（複数の例）の櫛体１２Ａ，１２Ｂとからなる櫛部によって毛髪を梳くと共に、取り付けられる容器１４内の塗布液を、該多孔質塗布体１０を介して毛髪に塗布するため髪用塗布具であり、前記複数の櫛体１２Ａ，１２Ｂは互いに異なる形状である。
また、複数の櫛体１２Ａ，１２Ｂは、図６に示すように、容器１４から着脱自在である。
【００２５】
図１〜図２に示すように、髪用塗布具において、容器１４は樹脂製の筒状に成形されて尾端が閉鎖された容器本体１６とその外周を覆う外筒１８からなっている。外筒１８内のスペーサリブ１８ａで容器本体１６の外周に近接・支持している。容器本体１６の先端部外周にフランジ１６ａが拡径し、そのフランジ１６ａの隣接する後方部分に凹凸部があり、その凹凸部に外筒１８内周の凹凸部が嵌合することによって、容器本体１６に外筒１８が固定される。なお、外筒外面には、凹み１８ｂが形成され、指が掛かりやすく滑り止めにでき、意匠上の外観品質を上げられる構造が採用されている。
【００２６】
容器本体１６内には、塗布液を含浸して担持し貯留する貯留担持体２０が挿入して収容される。貯留担持体２０には化粧料である塗布液が担持される。
【００２７】
上記の貯留担持体２０としては塗布液を担持できるものである限り、その材料に制限されるものではなく、例えば、中綿や連続多孔質体等を挙げることができる。
【００２８】
容器本体１６の先端には、継手２２が挿入固定されている。この継手２２は、中央に取り付け孔２２ａが貫通形成され、円柱状の外周が容器本体１６の先端開口１６ｂに嵌着されて固定される。
【００２９】
継手２２の先端部から先方向きに、矩形筒状の保持壁部２２ｂが延び、保持壁部２２ｂ内に連続して取り付け孔２２ａが形成される。また、継手２２の先端部には、保持壁部２２ｂを挟んで外側に櫛体１２Ａ，１２Ｂを嵌め込み係止する固定用突起２２ｃが形成されている。
【００３０】
櫛体１２Ａ，１２Ｂは樹脂製であり、取り付け孔２２ａには板状の多孔質塗布体１０が挿入され、保持壁部２２ｂの両側と固定用突起２２ｃとの間に樹脂製の櫛体１２Ａ，１２Ｂが装着される。
【００３１】
多孔質塗布体１０は、保持壁部２２ｂ内の取り付け孔２２ａ内に装填され、多孔質塗布体１０はその長手方向が容器本体１６の軸方向に沿って設けられる。多孔質塗布体１０の基端は、その装填時に前記貯留担持体２０の先端部に挿入されて塗布液が浸透可能に連結される。
【００３２】
なお、継手２２の外壁面と容器本体１６の先端の筒状の内壁面とは液密に密着しており、また、継手２２は容器本体１６から着脱可能でも、完全に固定されても良い。
【００３３】
また、容器本体１６に装着された多孔質塗布体１０と櫛体１２Ａ，１２Ｂを不使用時に覆うキャップ２４が容器本体１６に着脱可能に構成されている。キャップ２４は、容器本体１６先端にネジにて着脱自在に装着できるようになっている。キャップ２４は、外部のキャップ本体２４ａ内に、椀状の内筒２４ｂが固定され、内筒２４ｂ内にスプリング２４ｃによって後方向きに付勢されたインナーキャップ２４ｄが配設されている。インナーキャップ２４ｄにて多孔質塗布体１０と櫛体１２を気密して覆い、不使用時に塗布液の蒸発を防止するものである。
【００３４】
〔多孔質塗布体１０〕
多孔質塗布体１０は複数が立設され、それらが複数の櫛体１２Ａ，１２Ｂに挟まれて配置されている。個々の多孔質塗布体１０は、概略円柱棒状であり、先端部が球面状に丸く面取りされて、肌や髪の毛に柔らかい触感で接するようになっている（「多孔質棒状体」とも称する）。そして、複数の多孔質塗布体１０が容器本体１６の径方向に平行に二列(複数列の例）が並んで継手２２に挿し込まれて、容器本体１６に設置されている。
【００３５】
上記の多孔質塗布体１０は、その使用する塗布液の液保持力（ｍｍ）が上述の図１０に示す液保持力の測定において、１２０〜２５０ｍｍの範囲であり、特に１５０〜２０５ｍｍの範囲にあることが好ましい。
【００３６】
上記の１２０〜２５０ｍｍの範囲の液保持力のある多孔質塗布体１０を使用すれば、塗布液の液漏れ（直流）を防止して櫛体１２への適度な塗布液の供給ができる。塗布液の液保持力が上記の範囲を超えると、直流防止が困難となる。一方、上記の範囲未満では、容器からの塗布液の適度な供給が困難となる。
【００３７】
また、上記多孔質塗布体１０と上記櫛体１２（１２Ａ，１２Ｂ）の櫛歯とは非接触でかつ５．０ｍｍ以内（特に、３．５〜１．０ｍｍが好ましい）の範囲に近接させて互いが配設されていることによって、塗布液が櫛体１２を汚さずに、かつ毛髪の実質的な部分に均一に塗布できる。
【００３８】
上記の範囲内で使用できる多孔質塗布体１０の素材としては、スライバーペン芯、フェルト状物、連続気泡スポンジが好ましい。また、多孔質塗布体の気孔率（Ｖｄ）は７０〜８５％の範囲にあること、特に６８〜８５％の範囲にあることが好ましい。
また、塗布液は２５℃における粘度測定（ＴＶＥ−２０Ｌ型粘度計；株式会社トキメック製、標準コーン；１度３４分×Ｒ２４、１０ｒｐｍ、２０ｒｐｍ、５０ｒｐｍ、１００ｒｐｍ）において、１〜５０ｍＰａ・ｓの粘度範囲が好ましい。
【００３９】
〔櫛体１２〕
また、複数の櫛体１２（１２Ａ，１２Ｂ）は、図６に示すように、容器１４から(継手２２を介して）着脱自在である。
【００４０】
すなわち、継手２２の先端部に先方向きにリブ状の固定用突起２２ｃが突出している。また、櫛体１２Ａ，１２Ｂの後方の固定側端部には係止溝２６が形成される。係止溝２６が固定用突起２２ｃに嵌着して櫛体１２Ａ，１２Ｂが継手２２に着脱自在に固定される。櫛体の固定方法は固定用突起２２ｃの他、継手２２に溝を設けて、そこに櫛体１２Ａ，１２Ｂの基部を嵌着しても良い。
【００４１】
第１実施形態の櫛体１２Ａ，１２Ｂは、多孔質塗布体１０の配列された方向に沿って、略板状の櫛歯を複数列状に備えた一体形成されたものである。
【００４２】
一方の櫛体１２Ａは、図１又は詳しくは図７に示すように、断面矩形の櫛歯１２Ａ１が複数、列状に配列して一体成形されたものである。これら個々の櫛歯１２Ａ１は、配列方向の側面から見てテーパー形状に外側斜面で先細く形成されている。具体的に櫛歯１２Ａ１は、長さが０．７〜１．１ｍｍ(好適には０．９ｍｍ）、幅が０．５〜１．０ｍｍ(好適には０．７ｍｍ）、間隔が０．８〜１．２ｍｍ（好適には１．００ｍｍ）のものである。また、先端部が円弧形状に丸みを帯びている。
【００４３】
また、他方の櫛体１２Ｂは、断面楕円の櫛歯１２Ｂ１が複数、列状に配列して一体成形されたものである。多孔質塗布体１０の配列された方向に沿って、略板状の櫛歯１２Ｂ１を複数、列状に配列して一体形成されたものである。
【００４４】
また、櫛体１２Ａ、１２Ｂの各櫛歯１２Ａ１，１２Ｂ１の先端位置は、多孔質塗布体１０の先端位置よりも先方に位置しているため、使用時に多孔質塗布体１０の先端が頭皮に接触しにくく頭皮に液が付きにくい構造である。
【００４５】
上記構成によって、一方の櫛体１２Ｂが生え際などの気になる部分に集中的に塗り易い太く間隔の大きな櫛歯１２Ｂ１と、他方の櫛体１２Ａが細かい部分(もみあげなど）に塗り易い細く間隔の狭い微細な櫛歯１２Ａ１を一つにまとめた髪用塗布具にする。
【００４６】
また、二種類の櫛体１２Ａ，１２Ｂを表裏で配置することによって、持ち変えるだけで二種類の櫛体１２Ａ，１２Ｂを使用して紙などの対象物の異なる部分を簡単に白髪染ができる。また、対象物への当たり角度を変えて塗布し易く、かつ、頭皮に液が付きにくい設計であり使い勝手が良い。
【００４７】
〔第２実施形態に係る髪用塗布具〕
図３は、本発明の第２実施形態に係る髪用塗布具の説明図、図８はその櫛体の構造の説明図である
【００４８】
図３、図８に示すように、第２実施形態に係る髪用塗布具は、多孔質塗布体１０を内側にして挟んで併設される２つの櫛体１２Ａ，１２Ｂが異なる形状である。一方の櫛体１２Ａは、櫛歯１２Ａ１の先端部が多孔質塗布体１０側に弧を描いて曲がっていて、多孔質塗布体１０の一つの列の先端を覆うようになっている。他方の櫛体１２Ｂやその他の構成は第１実施形態と同様であり、同様部分に同一符号を付している。
【００４９】
第２実施形態の髪用塗布具によれば、一方の櫛体１２Ａは櫛歯１２Ａ１の先端が曲がっているので曲がった部分で髪の毛に塗布し易く、櫛体が肌に接触しても当たりがスムーズで柔らかい接触感になる。
【００５０】
〔第３実施形態に係る髪用塗布具〕
図４は、本発明の第３実施形態に係る髪用塗布具の説明図である。その髪用塗布具に装着する櫛体１２Ａの構造の説明図は前記の図７に示している。
【００５１】
第３実施形態に係る髪用塗布具は、複数の櫛体１２Ａ，１２Ｂに挟まれて配置された多孔質塗布体１０は、櫛体１２Ａ，１２Ｂ間で複数配置され、それら多孔質塗布体１０が互いに異なる形状のものである。
【００５２】
具体的には、図４に示すように、第３実施形態に係る髪用塗布具は、棒状の多孔質塗布体１０（１０Ｂ）(「多孔質棒状体」とも称する）が配列されたものに配列方向に平行に平坦な板状の多孔質塗布体１０（１０Ａ）(「多孔質板状体」とも称する）が配設されているものである。他方の櫛体１２Ｂやその他の構成は第１実施形態と同様であり、同様部分に同一符号を付している。
【００５３】
また、間隔が狭く細い櫛歯１２Ａ１側に又は隣接する多孔質塗布体１０Ａが板状であり、その先端部は櫛歯１２Ａ１の先端よりも後方に引っ込んでいる。この第３実施形態に係る髪用塗布具の多孔質塗布体１０Ａが、角柱状であるので、第１実施形態の円柱棒状の多孔質塗布体１０Ａに比較して、髪の毛の表面にこすり付けて塗布し易い。
【００５４】
〔第４実施形態に係る髪用塗布具〕
図５は、本発明の第４実施形態に係る髪用塗布具の説明図、図９はその櫛体の構造の説明図である
【００５５】
図５に示すように、第４実施形態に係る髪用塗布具は、多孔質塗布体１０を内側にして挟んで併設される２つの櫛体１２Ａ，１２Ｂが異なる形状である。一方の櫛体１２Ａは、櫛歯１２Ａ１の先端部が多孔質塗布体１０側に弧を描いて曲がっていて、かつ、多孔質塗布体１０の一つの列の間に櫛歯１２Ａ１の先端部が入り込むようになっている。図９に示すように櫛体１２Ａの櫛歯１２Ａ１は、図８に示す櫛体に比較して、それぞれが厚くかつ間隔も広く形成されている。なお、他方の櫛体１２Ｂやその他の構成は第１実施形態と同様であり、同様部分に同一符号を付している。
【００５６】
第４実施形態の髪用塗布具によれば、一方の櫛体１２Ａは櫛歯１２Ａ１の先端が曲がってかつ多孔質塗布体１０の列の間に入り込んでいるので、曲がった部分で髪の毛を梳きながら、広い面積で髪の毛に撫で付け易い。また、肌に接触しても当たりがスムーズで柔らかい接触感になる。
【産業上の利用可能性】
【００５７】
本発明の髪用塗布具は、容器本体に取り付けられ、髪（人間、その他のペット動物等を含む毛髪）を梳きながら容器に収容した塗布液（染毛剤、整髪剤、育毛剤等）を髪に塗布するための髪用化粧品に利用することができる。
【符号の説明】
【００５８】
１０  多孔質塗布体
１２Ａ  一方の櫛体
１２Ｂ  他方の櫛体
１２Ａ１，１２Ｂ１  各櫛歯
１４  容器
１６  容器本体
１８  外筒
２０  貯留担持体
２２  継手
２２ａ  取り付け孔
２２ｂ  保持壁部
２２ｃ  固定用突起
２４  キャップ
２６  係止溝
【図１】
0006406972.tif 000002
【図２】
0006406972.tif 000003
【図３】
0006406972.tif 000004
【図４】
0006406972.tif 000005
【図５】
0006406972.tif 000006
【図６】
0006406972.tif 000007
【図７】
0006406972.tif 000008
【図８】
0006406972.tif 000009
【図９】
0006406972.tif 000010
【図１０】
0006406972.tif 000011